(57)【要約】【課題】  脱毛器具の上方から接続スタンド部を固定し且つ電気的にも接続させながら洗浄作業を行うとともに、洗浄時以外には収納場所が制約されないように背を低くすることのできる除毛器具の洗浄装置を提供する。【解決手段】  体毛処理部９０を下方に向けた姿勢にある除毛器具９の該体毛処理部９０を配する洗浄槽１１と、上方からの接触で除毛器具９を上記姿勢に固定させるとともに該接触箇所を介して除毛器具９との電気的接続を行う接続スタンド部２と、上記洗浄槽１１及び上記接続スタンド部２を支持する洗浄装置本体２９とを具備する除毛器具の洗浄装置１において、上記接続スタンド部２を上下スライド自在に備える。【選択図】        図１
2005349141.tif 000002
【特許請求の範囲】
【請求項１】
体毛処理部を下方に向けた姿勢にある除毛器具の該体毛処理部を配する洗浄槽と、上方からの接触により除毛器具を洗浄槽との間で上記姿勢に固定させるとともに該接触箇所を介して除毛器具との電気的接続を行う接続スタンド部と、上記洗浄槽及び上記接続スタンド部を支持する洗浄装置本体とを具備する除毛器具の洗浄装置において、上記接続スタンド部が、除毛器具を上記姿勢に固定させる際の位置よりも下方の位置にまで移動自在であることを特徴とする脱毛器具の洗浄装置。
【請求項２】
上記接続スタンド部が、洗浄装置本体に対して上下方向にスライド自在であることを特徴とする請求項１記載の脱毛器具の洗浄装置。
【請求項３】
上記接続スタンド部が、洗浄装置本体に対して上下方向に起倒自在であることを特徴とする請求項１記載の脱毛器具の洗浄装置。
【発明の詳細な説明】
【技術分野】
【０００１】
本発明は、電気かみそりや脱毛器等の除毛器具を洗浄するための洗浄装置に関するものである。
【背景技術】
【０００２】
従来から、脱毛処理部を有する除毛器具（例えば電気かみそりや脱毛器）を洗浄するための洗浄装置として、体毛処理部を下方を向けた倒立姿勢の除毛器具の該体毛処理部を配する洗浄槽と、上記倒立姿勢にある除毛器具を更に上方から押さえ付けて固定するとともに該除毛器具に備えてある充電用の接触ピンを介して該除毛器具と電気的接続を行う接続スタンド部とを具備するものが提案されている（特許文献１参照）。上記従来の洗浄装置においては、洗浄槽に洗浄液を満たした状態で接続スタンド部から除毛器具に接触ピンを介して電力や制御信号を伝送し、体毛処理部を駆動させることで、この体毛処理部の洗浄が行われるようになっている。
【０００３】
しかしながら、上記洗浄装置においては接続スタンド部を脱毛器具の上方から固定して電気的にも接続させる構造であることから、この接続スタンド部を倒立状態の脱毛器具よりも背が高く設計する必要があり、したがって洗浄装置全体の背が高くなって収納場所が制約されるという問題があった。
【特許文献１】特開平７−２３６５１４号公報
【発明の開示】
【発明が解決しようとする課題】
【０００４】
本発明は上記問題点に鑑みて発明したものであって、脱毛器具の上方から接続スタンド部を固定し且つ電気的にも接続させながら洗浄作業を行うとともに、洗浄時以外には収納場所が制約されないように背を低くすることのできる除毛器具の洗浄装置を提供することを課題とするものである。
【課題を解決するための手段】
【０００５】
上記課題を解決するために本発明を、体毛処理部９０を下方に向けた姿勢にある除毛器具９の該体毛処理部９０を配する洗浄槽１１と、上方からの接触により除毛器具９を洗浄槽１１との間で上記姿勢に固定させるとともに該接触箇所を介して除毛器具９との電気的接続を行う接続スタンド部２と、上記洗浄槽１１及び上記接続スタンド部２を支持する洗浄装置本体２９とを具備する除毛器具の洗浄装置１において、上記接続スタンド部２が、除毛器具９を上記姿勢に固定させる際の位置よりも下方の位置にまで移動自在であることを特徴としたものとする。
【０００６】
上記洗浄装置１においては、体毛処理部９０を下方に向けた姿勢の除毛器具９に対して接続スタンド部２が上方から接触して固定するので、除毛器具９の接続スタンド２との接触箇所に備えてある充電用の接続ピンを介して該除毛器具９に電力や制御信号を伝送することができるとともに、洗浄時以外には接続スタンド部２を下方の位置に移動させておくことで収納場所が制約されないように背を低くすることができる。
【０００７】
なお、上記のように接続スタンド部２を移動自在とするために、接続スタンド部２を洗浄装置本体２９に対して上下方向にスライド自在とすることも好適であるし、また、接続スタンド部２を洗浄装置本体２９に対して上下方向に起倒自在とすることも好適である。前者の場合には接続スタンド部２がその姿勢のまま洗浄装置本体２９内に収納されていくので、洗浄装置１全体の容積がコンパクト化されるものであり、また、後者の場合には接続スタンド部２を倒すだけで背を低くすることができるので洗浄装置本体２９内に該接続スタンド部２の収納空間を形成する必要がないものである。
【発明の効果】
【０００８】
本発明は、脱毛器具の上方から接続スタンド部を固定し且つ電気的にも接続させながら洗浄作業を行うとともに、洗浄時以外には収納場所が制約されないように背を低くすることができるという効果を奏する。
【発明を実施するための最良の形態】
【０００９】
以下、本発明の実施の形態における一例の洗浄装置１について説明すると、この洗浄装置１は往復型電気かみそりである除毛器具９の体毛処理部９０であるかみそりヘッド部を洗浄するためのもので、図１２に示す底板１２と側部カバー１３と上部カバー１４とで構成される外殻と上記体毛処理部９０の洗浄のための処理槽１１（図１３参照）とを備えて成る洗浄装置本体２９は、ベース１０を内蔵するとともに、タンク３と溶質ケース４とが着脱自在とされたものとなっており、さらに洗浄後の体毛処理部９０に送風を行うことで乾燥を促すためのファン５や、タンク３と洗浄槽１１との間で洗浄液を循環させるポンプユニット６や、洗浄槽１１との間で除毛器具９を固定するとともに該除毛器具９に電力や制御信号を伝送する接続スタンド部２等を備えている。図１２中の１７はスイッチ釦、１８は動作表示のための発光ユニットである。
【００１０】
上記ベース１０は、図１４に示すように、接続スタンド部２を上下スライド自在に保持する立ち上がり部１０２の後方側にタンク３が着脱自在に取り付けられる取付部１０３を備え、前端下部に溶質ケース４が着脱自在に取り付けられる取付部１０４を備えて、取付部１０４の上方に洗浄槽１１が固定されるもので、その内部には先端に開閉弁８１を備えたロッド８０を駆動するためのソレノイド８が固定されており、また下面側には回路基板７５、溶質ケース４が装着されたことを検知するための接点板７７，７８、洗浄槽１１内に配される液面検知ピン１２８に接続される端子７６等が取り付けられ、更にベース１０下面を覆う上記底板１２との間の空間にポンプユニット６が配設されている。
【００１１】
ベース１０の後方下部内に配されることになるポンプユニット６は、液体だけでなく気体も給送することができるもので、図１５に示すように、モータ６０に減速輪列を介して接続された偏心軸６１に連結アーム６４で連結されたダイアフラム６５の駆動により、吸排弁６７を保持する弁保持枠６８に設けられた吸入口６ａからの吸引と吐出口６ｂからの吐出とを行うものを用いている。図中６２，６３はモータ基台、６６はダイアフラム保持枠である。
【００１２】
ベース１０上に固定されるとともに上部カバー１４における開口１４１内に納まる洗浄槽１１は、図１３に示すように、その下面周部に防水ゴム１１４が固定枠１１５によって固定されるとともに、上面前部にファンガード５０を介して軸流ファンから成る乾燥用のファン５が取り付けられ、更に上記液面検知ピン１２８や除毛器具９の体毛処理部９０を受ける支持ゴム１１９等が槽１１０内に配されるもので、片側後部に導入口１１１を備えており、更に図１に示すオーバーフロー排出口１１７と底面に開口する排出口１１８とを備えている。図１３中の１１６はファンガード５０の部分に装着される保護ゴムである。
【００１３】
接続スタンド部２は、前述のように、ベース１０の立ち上がり部１０２に上下スライド自在に保持されて上部カバー１４の開口部１４２から上方に突出するもので、図１６に示すように、そのハウジング２０の上端部内にターミナル２１を上下に回動自在に保持しているとともにスライドブロック２３を前後にスライド自在に保持しており、さらに下部内には上下スライドのストロークの両端位置でクリック位置決めを行うためのクリック突起２８を備えた板ばね２７を内蔵している。
【００１４】
上記ターミナル２１は、その後部に位置する軸孔２１１がハウジング２０の軸２００で支持されることで前端側が上下に回動するもので、複数個の接点板２２を備えている。これら接点板２２はリード線２２０を介して上記回路基板７５上の充電回路に接続されている。
【００１５】
前後にスライド自在となっているスライドブロック２３は、本体検知スイッチ２６，２６０とロック釦２４と復帰ばね２５とが組み込まれたもので、ロック釦２４はその前端をスライドブロック２３の前端の凹面の中央より前方側に突出させている。また、スライドブロック２３は上記ターミナル２１に設けられたカム部２１０と係合しており、スライドブロック２３が復帰ばね２５による付勢で前方側へ突出している時、ターミナル２１の前端部を上方へ回動させ、スライドブロック２３を後方へスライドさせれば、ターミナル２１の前端部が下方へ回動する。
【００１６】
なお、スライドブロック２３は、ロック釦２４が押し込まれてロックが解除されないことには後退することがないものであり、また不用意にロック釦２４が押し込まれないように、前述のように、スライドブロック２３の前端面は凹面とされて、スライドブロック２３の先端よりもロック釦２４の先端が突出しないようにされている。
【００１７】
水（もしくはアルコール）を主成分とする溶媒を洗浄液として収納するタンク３は、図１７に示すように、タンク本体３０の底面開口を底板３１で閉じたもので、キャップ３５が装着される開口３００を上端面に備え、上部前面の片側に吐出口３４を、他の片側に流入口３２と通気口３３とを備えたもので、その内部空間は２つに区画されている。一方の加圧区画には上記開口３００や流入口３２及び通気口３３が、他方の開放区画には吐出口３４が位置しているのであるが、この両区画はタンク３内に洗浄液を充填した時に液面よりも下方となるところで相互に連通している。また、吐出口３４側の開放区画は、底板３１から立ち上がる突部３６によって、その内容積がかなり小さくなっている。
【００１８】
このタンク３をベース１０の取付部１０３に装着したならば、上記流入口３２がベース１０の接続口１０６とチューブ１０７（図１７参照）を介してポンプユニット６における吐出口６ｂに接続され、流入口３２よりも上方に位置する通気口３３がベース１０の弁部１０５に接続され、吐出口３４が吐出パイプ１０８に接続される。この吐出パイプ１０８は上端が大気に開放されるとともに下端が洗浄槽１１における上記導入口１１１内に位置する。
【００１９】
また、タンク３の上端に配されるキャップ３５は上記加圧区画と大気との連通を開閉する弁としても機能し、ベース１０に取り付けられていない時には、開口３００を完全に閉じていないが、ベース１０に取り付けて該ベース１０にスライド且つ回動自在に保持されているノブ７でタンク３を固定した時には、キャップ３５を押さえ込んで開口３００を完全に閉じるものである。図１４に示す７０は上記ノブ７をベース１０に対してスライド自在に且つ回動自在に連結している軸である。
【００２０】
そして溶質ケース４は図１１及び図１８に示すように、中央部が開口する蓋４２を備えたケース４０内に溶質を含ませたフィルタ４１を収納したもので、背面下部に接続口４４を備えており、ベース１０の取付部１０４に対して前後にスライドさせることで着脱される。そしてベース１０に装着した時、上面周部が洗浄槽１１の下面周囲に配した防水ゴム１１４と接触し、オーバーフロー排出口１１７や排出口１１８を備える洗浄槽１１と溶質ケース４との間が水密状態に保持される。また、ベース１０への装着時、上記接続口４４がポンプユニット６における吸入口６ａに接続される。図１８中の４３は溶質ケース４の蓋４２の開口を閉じておくラミネートシールであり、溶質ケース４をこの洗浄装置１にセットする時は剥がされる。
【００２１】
図１９に模式的に示される循環流路１５は、オーバーフロー排出口１７や排出口１１８、溶質ケース４、ポンプユニット６、チューブ１０７、吐出パイプ１０８等で形成されて洗浄槽１１とタンク３とを両者１１，３の間で洗浄液が循環可能となるように連通させる流路であり、この流路中に位置するポンプユニット６がタンク３に向けて気体及び液体を給送するのである。
【００２２】
今、洗浄液である溶媒を収容したタンク３と溶質ケース４とを洗浄装置本体２９にセットするとともに接続スタンド部２を上方に引き上げた状態で電源をオンにし、除毛器具９をその体毛処理部９０が下方を向く倒立姿勢にしたうえで該体毛処理部９０を洗浄槽１１の槽１１０内に嵌め込み、除毛器具９によって接続スタンド部２のスライドブロック２３を後方に押せば、まず除毛器具９によってロック釦２４が押し込まれてスライドブロック２３全体の後方移動が可能な状態となり、更に除毛器具９でスライドブロック２３を後方に押せば、スライドブロック２３にカム部２１０を係合させているターミナル２１が回動してターミナル２１前端が下方に移動し、このターミナル２１が上方から除毛器具９に嵌り込んで接触することで除毛器具９の固定がなされて上記倒立姿勢が保持される。また、上記固定と同時に、ターミナル２１の接点板２２が除毛器具９において体毛処理部９０と反対側（即ち、上記倒立姿勢において上端側）に形成してある接触ピン１９に接続される。除毛器具９は上記接触ピン１９を介して接続スタンド部２と電気的に接続され、電力や制御信号を伝送されるものであり、上記接続により除毛器具９内の二次電池への充電が開始される。
【００２３】
そして、除毛器具９の上記固定が検知される状態で上部カバー１４に配されたスイッチ釦１７を押せば、ソレノイド８が作動して開閉弁８１を備えたロッド８０が引き下げられるために、タンク３の通気口３３に連通する弁部１０５が閉じられる。この時点ではタンク３のキャップ３５が前述のノブ７によって開口３００を完全に閉じているために、タンク３内におけるポンプユニット６に接続された加圧区画は気密状態になる。このために、スイッチ釦１７の投入で作動したポンプユニット６は、まず、溶質ケース４側から空気を吸い込んでタンク３の上記加圧区画に送り、このために加圧区画内の圧力が上昇して洗浄液の液面を押し下げる。これに伴ってタンク３内の開放区画側の液面は上昇し、吐出口３４の位置まで液面が上昇すれば、吐出パイプ１０８を通じて洗浄槽１１内に洗浄液が送り込まれる。この時、上記開放区画はタンク３における底板３１から立ち上がる突部３６によって内容積がかなり小さくなっているために、加圧区画の圧力値をあまり高くしなくても洗浄液は洗浄槽１１側に溢出する。
【００２４】
洗浄槽１１の底部に形成された排出口１１８の開口面積は小さく設定されていて、ここを通じて槽１１０外に流れ出す洗浄液の量よりも洗浄槽１１に送り込まれる洗浄液の量が多いために、洗浄液が洗浄槽１１内を満たす状態となるものであり、その液面が液面検知ピン１２８にまで達したならば、接続スタンド部２のターミナル２１を通じて除毛器具９に制御信号を伝送して、洗浄液中に浸漬されている体毛処理部９０を作動させる。
【００２５】
そして洗浄槽１１内の洗浄液は、オーバーフロー排出口１１７及び排出口１１８を通じて溶質ケース４側に流れ込み、フィルター４１を通過する間に濾過されるとともに溶質を溶かし込み、その後、ポンプユニット６に吸引される。この後は、溶媒に溶質を溶かし込んで成る溶液が洗浄液としてタンク３と洗浄槽１１の間を循環するものであり、体毛処理部９０から洗い流された毛屑等の汚れは、循環流路１５中に介在する溶質ケース４内のフィルター４１で捕獲されることとなる。
【００２６】
フィルター４１は綿状のもので形成されているとともに上下３層で形成されており、また下層ほど目が細かくなっている。これは体毛処理部９０から洗い流した汚れ、殊に毛屑を分散して捕獲することができるようにすることで、多くの毛屑を捕獲することを可能とするためである。また、フィルター４１に保持された状態で溶質ケース４内に充填されている溶質としては、界面活性剤と殺菌剤と消泡剤と潤滑剤のうちの少なくとも１つ以上、好ましくは全てを含んだものを好適に用いることができる。界面活性剤により洗浄効果を向上させることができ、殺菌剤により皮脂等の臭いを無くして清潔な状態に保つことができ、消泡剤によって泡の発生を抑制して洗浄効果を高めるとともに洗浄後の乾燥に要する時間を短縮することができ、さらに潤滑剤によって体毛処理部９０の可動部の摩擦抵抗を低減させることができる。
【００２７】
所定時間の上記洗浄動作が終われば、接続スタンド２から伝送される制御信号により除毛器具９のモータを停止させるとともにソレノイド８を復帰させることで上記弁部１０５を開く。このとき加圧区画が大気に開放されるものであり、加圧区画内の洗浄液の液面が上昇するとともに開放区画の液面は低下するので、洗浄槽１１への洗浄液の供給が停止する。ただし、ポンプユニット６はその後も洗浄液をタンク３に継続的に給送し、洗浄槽１１内の洗浄液をタンク３側に回収する。そして洗浄槽１１から洗浄液が無くなれば、ファン５が所定時間だけ作動して上部カバー１４のルーバ部１４５を通じて吸い込んだ空気を体毛処理部９０に吹き付けることで体毛処理部９０の乾燥を促す。洗浄装置１からの除毛器具９の取り外しは、除毛器具９の上部を手前に引くことで行う。この動作で接続スタンド部２のターミナル２１が回動して除毛器具９との係合が外れ、ターミナル２１に連動するスライドブロック２３も前進する。
【００２８】
ところで、この洗浄装置１では、タンク３の内部空間の加圧区画を加圧することで洗浄液を洗浄槽１１に供給し、上記内部空間の加圧区画を開放した状態でポンプユニット６を作動させることで、洗浄槽１１内の洗浄液をタンク３側に回収することから、タンク３内の液面が洗浄槽１１よりも上方に位置していても何ら問題が無いものであり、このために大容量のタンク３を用いても背の低い洗浄装置１を得ることができる。
【００２９】
溶質ケース４内の溶質が無くなったり、また、フィルター４１が多くの汚れを捕獲して目詰まり状態となった時には、溶質ケース４を交換すればよい。特に、上記フィルタ４１に毛屑等が詰まった場合には、ポンプユニット６を駆動してもタンク３の加圧区間にまで十分な量の気体や液体を給送することができなくなり、したがって洗浄槽１１に十分な量の洗浄液が供給されなくなってしまう。これに対して、本例においては洗浄槽１１内に貯められた洗浄液の液面高さが該洗浄槽１１内を満たす状態にあるか否かを検知する液面検知ピン１２８を、フィルタ４１の交換時期を検知する液面検知部１６としても用いているので（図１９参照）、この液面検知ピン１２８を介して使用者はフィルタ４１即ち溶質ケース４が交換時期にあることを容易且つ確実に判断することが可能になっている。具体的には、タンク３内の洗浄液を洗浄槽１１に供給すべくポンプユニット６から気体を給送し始めてから所定時間以上を経過した時点で、液面検知ピン１２８を介して液面が洗浄槽１１を満たす状態にないと検知される場合には、フィルタ４１が目詰まり状態にあると判断してフィルタ交換表示（図示せず）をオンにする。溶質ケース４が交換されたか否かは上記接点板７７，７８を介して割り込み処理により定期的に確認され、溶質ケース４の交換が確認された場合にはフィルタ交換表示をオフにする。
【００３０】
除毛器具９を抜き出した後に再度洗浄を行う必要がなければ、洗浄装置本体２９に対して接続スタンド部２を下方にスライドさせて収納しておけばよい。このように接続スタンド部２を、洗浄槽１１との間で除毛器具９を挟んで倒立姿勢に固定させる際の位置よりも下方の位置にまで移動自在に設けることで、脱毛器具９を上方から固定し且つ電気的にも接続させる接続スタンド部２を有するものであるにも関わらず、洗浄時以外には洗浄装置１全体を収納場所が制約されないように背の低い状態にコンパクト化することができる。
【００３１】
次に、本発明の実施の形態における他例の洗浄装置１について図２０や図２１に基づいて説明する。なお、上記した一例の構成と同様の構成については同一符号を付して説明を省略し、一例と異なる特徴的な構成について以下に述べる。本例の接続スタンド部２は、その下端部に設けてある支持軸４００を中心としてベース１０に上下方向に回動自在に連結された状態で洗浄装置本体１の上部カバー１４から突出するものであり、上記回動により図２０に示す起立位置と図２１に示す傾倒位置との間で起倒自在になっている。
【００３２】
上記起立位置の接続スタンド部２は、一例において上方に引き上げた状態と同様の上下高さにあり、この位置で一例と同様に倒立姿勢の除毛器具９を上方から固定し且つ電気的に接続させ、洗浄槽１１内での体毛処理部９０の洗浄作業を行う。そして、除毛器具９を取り外した後に再度洗浄を行う必要がなければ、洗浄装置本体２９に対して接続スタンド部２を前方斜め下方に押し倒して上記傾倒位置に収納させておけばよい。上記傾倒位置は除毛器具６を倒立姿勢に固定させる際の起立位置よりも下方の位置であることから、本例においても脱毛器具９を上方から固定し且つ電気的にも接続させる接続スタンド部２を有するものであるにも関わらず、洗浄時以外には洗浄装置１全体を収納場所が制約されないように背の低い状態にコンパクト化することができる。
【図面の簡単な説明】
【００３３】
【図１】本発明の実施の一例の除毛器具をセットした状態の縦断面図である。
【図２】同上の除毛器具をセットした状態の斜視図である。
【図３】同上の除毛器具をセットした状態の正面図である。
【図４】同上の外殻及び溶媒タンクを取り外した状態の斜視図である。
【図５】同上の正面図である。
【図６】同上の縦断面図である。
【図７】同上のＸ−Ｘ線断面図である。
【図８】同上のＹ−Ｙ線断面図である。
【図９】同上のスタンド部を引き上げた状態の正面図である。
【図１０】同上のＢ−Ｂ線断面図である。
【図１１】同上の溶質ケースの斜視図である。
【図１２】同上の外殻構成部品の分解斜視図である。
【図１３】同上の洗浄槽回りの部品の分解斜視図である。
【図１４】同上のベース回りの部品の分解斜視図である。
【図１５】同上のポンプユニットの分解斜視図である。
【図１６】同上の接続スタンド部の分解斜視図である。
【図１７】同上の溶媒タンクの分解斜視図である。
【図１８】同上の溶質ケースの分解斜視図である。
【図１９】同上の循環系を示す概念図である。
【図２０】本発明の実施の他例の除毛器具をセットした状態の縦断面図である。
【図２１】同上の接続スタンド部を折り畳んだ状態の縦断面図である。
【符号の説明】
【００３４】
１  洗浄装置
２  接続スタンド部
９  除毛器具
１１  洗浄槽
２９  洗浄装置本体
９０  体毛処理部
【図１】
2005349141.tif 000003
【図２】
2005349141.tif 000004
【図３】
2005349141.tif 000005
【図４】
2005349141.tif 000006
【図５】
2005349141.tif 000007
【図６】
2005349141.tif 000008
【図７】
2005349141.tif 000009
【図８】
2005349141.tif 000010
【図９】
2005349141.tif 000011
【図１０】
2005349141.tif 000012
【図１１】
2005349141.tif 000013
【図１２】
2005349141.tif 000014
【図１３】
2005349141.tif 000015
【図１４】
2005349141.tif 000016
【図１５】
2005349141.tif 000017
【図１６】
2005349141.tif 000018
【図１７】
2005349141.tif 000019
【図１８】
2005349141.tif 000020
【図１９】
2005349141.tif 000021
【図２０】
2005349141.tif 000022
【図２１】
2005349141.tif 000023
【手続補正書】
【提出日】平成16年10月18日(2004.10.18)
【手続補正１】
【補正対象書類名】特許請求の範囲
【補正対象項目名】全文
【補正方法】変更
【補正の内容】
【特許請求の範囲】
【請求項１】
体毛処理部を下方に向けた姿勢にある除毛器具の該体毛処理部を配する洗浄槽と、上方からの接触により除毛器具を洗浄槽との間で上記姿勢に固定させるとともに該接触箇所を介して除毛器具との電気的接続を行う接続スタンド部と、上記洗浄槽及び上記接続スタンド部を支持する洗浄装置本体とを具備する除毛器具の洗浄装置において、上記接続スタンド部が、除毛器具を上記姿勢に固定させる際の位置よりも下方の位置にまで移動自在であることを特徴とする除毛器具の洗浄装置。
【請求項２】
上記接続スタンド部が、洗浄装置本体に対して上下方向にスライド自在であることを特徴とする請求項１記載の除毛器具の洗浄装置。
【請求項３】
上記接続スタンド部が、洗浄装置本体に対して上下方向に起倒自在であることを特徴とする請求項１記載の除毛器具の洗浄装置。
【手続補正２】
【補正対象書類名】明細書
【補正対象項目名】全文
【補正方法】変更
【補正の内容】
【発明の詳細な説明】
【技術分野】
【０００１】
本発明は、電気かみそりや脱毛器等の除毛器具を洗浄するための洗浄装置に関するものである。
【背景技術】
【０００２】
従来から、体毛処理部を有する除毛器具（例えば電気かみそりや脱毛器）を洗浄するための洗浄装置として、体毛処理部を下方を向けた倒立姿勢の除毛器具の該体毛処理部を配する洗浄槽と、上記倒立姿勢にある除毛器具を更に上方から押さえ付けて固定するとともに該除毛器具に備えてある充電用の接触ピンを介して該除毛器具と電気的接続を行う接続スタンド部とを具備するものが提案されている（特許文献１参照）。上記従来の洗浄装置においては、洗浄槽に洗浄液を満たした状態で接続スタンド部から除毛器具に接触ピンを介して電力や制御信号を伝送し、体毛処理部を駆動させることで、この体毛処理部の洗浄が行われるようになっている。
【０００３】
しかしながら、上記洗浄装置においては接続スタンド部を除毛器具の上方から固定して電気的にも接続させる構造であることから、この接続スタンド部を倒立状態の除毛器具よりも背が高く設計する必要があり、したがって洗浄装置全体の背が高くなって収納場所が制約されるという問題があった。
【特許文献１】特開平７−２３６５１４号公報
【発明の開示】
【発明が解決しようとする課題】
【０００４】
本発明は上記問題点に鑑みて発明したものであって、除毛器具の上方から接続スタンド部を固定し且つ電気的にも接続させながら洗浄作業を行うとともに、洗浄時以外には収納場所が制約されないように背を低くすることのできる除毛器具の洗浄装置を提供することを課題とするものである。
【課題を解決するための手段】
【０００５】
上記課題を解決するために本発明を、体毛処理部９０を下方に向けた姿勢にある除毛器具９の該体毛処理部９０を配する洗浄槽１１と、上方からの接触により除毛器具９を洗浄槽１１との間で上記姿勢に固定させるとともに該接触箇所を介して除毛器具９との電気的接続を行う接続スタンド部２と、上記洗浄槽１１及び上記接続スタンド部２を支持する洗浄装置本体２９とを具備する除毛器具の洗浄装置１において、上記接続スタンド部２が、除毛器具９を上記姿勢に固定させる際の位置よりも下方の位置にまで移動自在であることを特徴としたものとする。
【０００６】
上記洗浄装置１においては、体毛処理部９０を下方に向けた姿勢の除毛器具９に対して接続スタンド部２が上方から接触して固定するので、除毛器具９の接続スタンド２との接触箇所に備えてある充電用の接続ピンを介して該除毛器具９に電力や制御信号を伝送することができるとともに、洗浄時以外には接続スタンド部２を下方の位置に移動させておくことで収納場所が制約されないように背を低くすることができる。
【０００７】
なお、上記のように接続スタンド部２を移動自在とするために、接続スタンド部２を洗浄装置本体２９に対して上下方向にスライド自在とすることも好適であるし、また、接続スタンド部２を洗浄装置本体２９に対して上下方向に起倒自在とすることも好適である。前者の場合には接続スタンド部２がその姿勢のまま洗浄装置本体２９内に収納されていくので、洗浄装置１全体の容積がコンパクト化されるものであり、また、後者の場合には接続スタンド部２を倒すだけで背を低くすることができるので洗浄装置本体２９内に該接続スタンド部２の収納空間を形成する必要がないものである。
【発明の効果】
【０００８】
本発明は、除毛器具の上方から接続スタンド部を固定し且つ電気的にも接続させながら洗浄作業を行うとともに、洗浄時以外には収納場所が制約されないように背を低くすることができるという効果を奏する。
【発明を実施するための最良の形態】
【０００９】
以下、本発明の実施の形態における一例の洗浄装置１について説明すると、この洗浄装置１は往復型電気かみそりである除毛器具９の体毛処理部９０であるかみそりヘッド部を洗浄するためのもので、図１２に示す底板１２と側部カバー１３と上部カバー１４とで構成される外殻と上記体毛処理部９０の洗浄のための処理槽１１（図１３参照）とを備えて成る洗浄装置本体２９は、ベース１０を内蔵するとともに、タンク３と溶質ケース４とが着脱自在とされたものとなっており、さらに洗浄後の体毛処理部９０に送風を行うことで乾燥を促すためのファン５や、タンク３と洗浄槽１１との間で洗浄液を循環させるポンプユニット６や、洗浄槽１１との間で除毛器具９を固定するとともに該除毛器具９に電力や制御信号を伝送する接続スタンド部２等を備えている。図１２中の１７はスイッチ釦、１８は動作表示のための発光ユニットである。
【００１０】
上記ベース１０は、図１４に示すように、接続スタンド部２を上下スライド自在に保持する立ち上がり部１０２の後方側にタンク３が着脱自在に取り付けられる取付部１０３を備え、前端下部に溶質ケース４が着脱自在に取り付けられる取付部１０４を備えて、取付部１０４の上方に洗浄槽１１が固定されるもので、その内部には先端に開閉弁８１を備えたロッド８０を駆動するためのソレノイド８が固定されており、また下面側には回路基板７５、溶質ケース４が装着されたことを検知するための接点板７７，７８、洗浄槽１１内に配される液面検知ピン１２８に接続される端子７６等が取り付けられ、更にベース１０下面を覆う上記底板１２との間の空間にポンプユニット６が配設されている。
【００１１】
ベース１０の後方下部内に配されることになるポンプユニット６は、液体だけでなく気体も給送することができるもので、図１５に示すように、モータ６０に減速輪列を介して接続された偏心軸６１に連結アーム６４で連結されたダイアフラム６５の駆動により、吸排弁６７を保持する弁保持枠６８に設けられた吸入口６ａからの吸引と吐出口６ｂからの吐出とを行うものを用いている。図中６２，６３はモータ基台、６６はダイアフラム保持枠である。
【００１２】
ベース１０上に固定されるとともに上部カバー１４における開口１４１内に納まる洗浄槽１１は、図１３に示すように、その下面周部に防水ゴム１１４が固定枠１１５によって固定されるとともに、上面前部にファンガード５０を介して軸流ファンから成る乾燥用のファン５が取り付けられ、更に上記液面検知ピン１２８や除毛器具９の体毛処理部９０を受ける支持ゴム１１９等が槽１１０内に配されるもので、片側後部に導入口１１１を備えており、更に図１に示すオーバーフロー排出口１１７と底面に開口する排出口１１８とを備えている。図１３中の１１６はファンガード５０の部分に装着される保護ゴムである。
【００１３】
接続スタンド部２は、前述のように、ベース１０の立ち上がり部１０２に上下スライド自在に保持されて上部カバー１４の開口部１４２から上方に突出するもので、図１６に示すように、そのハウジング２０の上端部内にターミナル２１を上下に回動自在に保持しているとともにスライドブロック２３を前後にスライド自在に保持しており、さらに下部内には上下スライドのストロークの両端位置でクリック位置決めを行うためのクリック突起２８を備えた板ばね２７を内蔵している。
【００１４】
上記ターミナル２１は、その後部に位置する軸孔２１１がハウジング２０の軸２００で支持されることで前端側が上下に回動するもので、複数個の接点板２２を備えている。これら接点板２２はリード線２２０を介して上記回路基板７５上の充電回路に接続されている。
【００１５】
前後にスライド自在となっているスライドブロック２３は、本体検知スイッチ２６，２６０とロック釦２４と復帰ばね２５とが組み込まれたもので、ロック釦２４はその前端をスライドブロック２３の前端の凹面の中央より前方側に突出させている。また、スライドブロック２３は上記ターミナル２１に設けられたカム部２１０と係合しており、スライドブロック２３が復帰ばね２５による付勢で前方側へ突出している時、ターミナル２１の前端部を上方へ回動させ、スライドブロック２３を後方へスライドさせれば、ターミナル２１の前端部が下方へ回動する。
【００１６】
なお、スライドブロック２３は、ロック釦２４が押し込まれてロックが解除されないことには後退することがないものであり、また不用意にロック釦２４が押し込まれないように、前述のように、スライドブロック２３の前端面は凹面とされて、スライドブロック２３の先端よりもロック釦２４の先端が突出しないようにされている。
【００１７】
水（もしくはアルコール）を主成分とする溶媒を洗浄液として収納するタンク３は、図１７に示すように、タンク本体３０の底面開口を底板３１で閉じたもので、キャップ３５が装着される開口３００を上端面に備え、上部前面の片側に吐出口３４を、他の片側に流入口３２と通気口３３とを備えたもので、その内部空間は２つに区画されている。一方の加圧区画には上記開口３００や流入口３２及び通気口３３が、他方の開放区画には吐出口３４が位置しているのであるが、この両区画はタンク３内に洗浄液を充填した時に液面よりも下方となるところで相互に連通している。また、吐出口３４側の開放区画は、底板３１から立ち上がる突部３６によって、その内容積がかなり小さくなっている。
【００１８】
このタンク３をベース１０の取付部１０３に装着したならば、上記流入口３２がベース１０の接続口１０６とチューブ１０７（図１７参照）を介してポンプユニット６における吐出口６ｂに接続され、流入口３２よりも上方に位置する通気口３３がベース１０の弁部１０５に接続され、吐出口３４が吐出パイプ１０８に接続される。この吐出パイプ１０８は上端が大気に開放されるとともに下端が洗浄槽１１における上記導入口１１１内に位置する。
【００１９】
また、タンク３の上端に配されるキャップ３５は上記加圧区画と大気との連通を開閉する弁としても機能し、ベース１０に取り付けられていない時には、開口３００を完全に閉じていないが、ベース１０に取り付けて該ベース１０にスライド且つ回動自在に保持されているノブ７でタンク３を固定した時には、キャップ３５を押さえ込んで開口３００を完全に閉じるものである。図１４に示す７０は上記ノブ７をベース１０に対してスライド自在に且つ回動自在に連結している軸である。
【００２０】
そして溶質ケース４は図１１及び図１８に示すように、中央部が開口する蓋４２を備えたケース４０内に溶質を含ませたフィルタ４１を収納したもので、背面下部に接続口４４を備えており、ベース１０の取付部１０４に対して前後にスライドさせることで着脱される。そしてベース１０に装着した時、上面周部が洗浄槽１１の下面周囲に配した防水ゴム１１４と接触し、オーバーフロー排出口１１７や排出口１１８を備える洗浄槽１１と溶質ケース４との間が水密状態に保持される。また、ベース１０への装着時、上記接続口４４がポンプユニット６における吸入口６ａに接続される。図１８中の４３は溶質ケース４の蓋４２の開口を閉じておくラミネートシールであり、溶質ケース４をこの洗浄装置１にセットする時は剥がされる。
【００２１】
図１９に模式的に示される循環流路１５は、オーバーフロー排出口１７や排出口１１８、溶質ケース４、ポンプユニット６、チューブ１０７、吐出パイプ１０８等で形成されて洗浄槽１１とタンク３とを両者１１，３の間で洗浄液が循環可能となるように連通させる流路であり、この流路中に位置するポンプユニット６がタンク３に向けて気体及び液体を給送するのである。
【００２２】
今、洗浄液である溶媒を収容したタンク３と溶質ケース４とを洗浄装置本体２９にセットするとともに接続スタンド部２を上方に引き上げた状態で電源をオンにし、除毛器具９をその体毛処理部９０が下方を向く倒立姿勢にしたうえで該体毛処理部９０を洗浄槽１１の槽１１０内に嵌め込み、除毛器具９によって接続スタンド部２のスライドブロック２３を後方に押せば、まず除毛器具９によってロック釦２４が押し込まれてスライドブロック２３全体の後方移動が可能な状態となり、更に除毛器具９でスライドブロック２３を後方に押せば、スライドブロック２３にカム部２１０を係合させているターミナル２１が回動してターミナル２１前端が下方に移動し、このターミナル２１が上方から除毛器具９に嵌り込んで接触することで除毛器具９の固定がなされて上記倒立姿勢が保持される。また、上記固定と同時に、ターミナル２１の接点板２２が除毛器具９において体毛処理部９０と反対側（即ち、上記倒立姿勢において上端側）に形成してある接触ピン１９に接続される。除毛器具９は上記接触ピン１９を介して接続スタンド部２と電気的に接続され、電力や制御信号を伝送されるものであり、上記接続により除毛器具９内の二次電池への充電が開始される。
【００２３】
そして、除毛器具９の上記固定が検知される状態で上部カバー１４に配されたスイッチ釦１７を押せば、ソレノイド８が作動して開閉弁８１を備えたロッド８０が引き下げられるために、タンク３の通気口３３に連通する弁部１０５が閉じられる。この時点ではタンク３のキャップ３５が前述のノブ７によって開口３００を完全に閉じているために、タンク３内におけるポンプユニット６に接続された加圧区画は気密状態になる。このために、スイッチ釦１７の投入で作動したポンプユニット６は、まず、溶質ケース４側から空気を吸い込んでタンク３の上記加圧区画に送り、このために加圧区画内の圧力が上昇して洗浄液の液面を押し下げる。これに伴ってタンク３内の開放区画側の液面は上昇し、吐出口３４の位置まで液面が上昇すれば、吐出パイプ１０８を通じて洗浄槽１１内に洗浄液が送り込まれる。この時、上記開放区画はタンク３における底板３１から立ち上がる突部３６によって内容積がかなり小さくなっているために、加圧区画の圧力値をあまり高くしなくても洗浄液は洗浄槽１１側に溢出する。
【００２４】
洗浄槽１１の底部に形成された排出口１１８の開口面積は小さく設定されていて、ここを通じて槽１１０外に流れ出す洗浄液の量よりも洗浄槽１１に送り込まれる洗浄液の量が多いために、洗浄液が洗浄槽１１内を満たす状態となるものであり、その液面が液面検知ピン１２８にまで達したならば、接続スタンド部２のターミナル２１を通じて除毛器具９に制御信号を伝送して、洗浄液中に浸漬されている体毛処理部９０を作動させる。
【００２５】
そして洗浄槽１１内の洗浄液は、オーバーフロー排出口１１７及び排出口１１８を通じて溶質ケース４側に流れ込み、フィルター４１を通過する間に濾過されるとともに溶質を溶かし込み、その後、ポンプユニット６に吸引される。この後は、溶媒に溶質を溶かし込んで成る溶液が洗浄液としてタンク３と洗浄槽１１の間を循環するものであり、体毛処理部９０から洗い流された毛屑等の汚れは、循環流路１５中に介在する溶質ケース４内のフィルター４１で捕獲されることとなる。
【００２６】
フィルター４１は綿状のもので形成されているとともに上下３層で形成されており、また下層ほど目が細かくなっている。これは体毛処理部９０から洗い流した汚れ、殊に毛屑を分散して捕獲することができるようにすることで、多くの毛屑を捕獲することを可能とするためである。また、フィルター４１に保持された状態で溶質ケース４内に充填されている溶質としては、界面活性剤と殺菌剤と消泡剤と潤滑剤のうちの少なくとも１つ以上、好ましくは全てを含んだものを好適に用いることができる。界面活性剤により洗浄効果を向上させることができ、殺菌剤により皮脂等の臭いを無くして清潔な状態に保つことができ、消泡剤によって泡の発生を抑制して洗浄効果を高めるとともに洗浄後の乾燥に要する時間を短縮することができ、さらに潤滑剤によって体毛処理部９０の可動部の摩擦抵抗を低減させることができる。
【００２７】
所定時間の上記洗浄動作が終われば、接続スタンド２から伝送される制御信号により除毛器具９のモータを停止させるとともにソレノイド８を復帰させることで上記弁部１０５を開く。このとき加圧区画が大気に開放されるものであり、加圧区画内の洗浄液の液面が上昇するとともに開放区画の液面は低下するので、洗浄槽１１への洗浄液の供給が停止する。ただし、ポンプユニット６はその後も洗浄液をタンク３に継続的に給送し、洗浄槽１１内の洗浄液をタンク３側に回収する。そして洗浄槽１１から洗浄液が無くなれば、ファン５が所定時間だけ作動して上部カバー１４のルーバ部１４５を通じて吸い込んだ空気を体毛処理部９０に吹き付けることで体毛処理部９０の乾燥を促す。洗浄装置１からの除毛器具９の取り外しは、除毛器具９の上部を手前に引くことで行う。この動作で接続スタンド部２のターミナル２１が回動して除毛器具９との係合が外れ、ターミナル２１に連動するスライドブロック２３も前進する。
【００２８】
ところで、この洗浄装置１では、タンク３の内部空間の加圧区画を加圧することで洗浄液を洗浄槽１１に供給し、上記内部空間の加圧区画を開放した状態でポンプユニット６を作動させることで、洗浄槽１１内の洗浄液をタンク３側に回収することから、タンク３内の液面が洗浄槽１１よりも上方に位置していても何ら問題が無いものであり、このために大容量のタンク３を用いても背の低い洗浄装置１を得ることができる。
【００２９】
溶質ケース４内の溶質が無くなったり、また、フィルター４１が多くの汚れを捕獲して目詰まり状態となった時には、溶質ケース４を交換すればよい。特に、上記フィルタ４１に毛屑等が詰まった場合には、ポンプユニット６を駆動してもタンク３の加圧区間にまで十分な量の気体や液体を給送することができなくなり、したがって洗浄槽１１に十分な量の洗浄液が供給されなくなってしまう。これに対して、本例においては洗浄槽１１内に貯められた洗浄液の液面高さが該洗浄槽１１内を満たす状態にあるか否かを検知する液面検知ピン１２８を、フィルタ４１の交換時期を検知する液面検知部１６としても用いているので（図１９参照）、この液面検知ピン１２８を介して使用者はフィルタ４１即ち溶質ケース４が交換時期にあることを容易且つ確実に判断することが可能になっている。具体的には、タンク３内の洗浄液を洗浄槽１１に供給すべくポンプユニット６から気体を給送し始めてから所定時間以上を経過した時点で、液面検知ピン１２８を介して液面が洗浄槽１１を満たす状態にないと検知される場合には、フィルタ４１が目詰まり状態にあると判断してフィルタ交換表示（図示せず）をオンにする。溶質ケース４が交換されたか否かは上記接点板７７，７８を介して割り込み処理により定期的に確認され、溶質ケース４の交換が確認された場合にはフィルタ交換表示をオフにする。
【００３０】
除毛器具９を抜き出した後に再度洗浄を行う必要がなければ、洗浄装置本体２９に対して接続スタンド部２を下方にスライドさせて収納しておけばよい。このように接続スタンド部２を、洗浄槽１１との間で除毛器具９を挟んで倒立姿勢に固定させる際の位置よりも下方の位置にまで移動自在に設けることで、除毛器具９を上方から固定し且つ電気的にも接続させる接続スタンド部２を有するものであるにも関わらず、洗浄時以外には洗浄装置１全体を収納場所が制約されないように背の低い状態にコンパクト化することができる。
【００３１】
次に、本発明の実施の形態における他例の洗浄装置１について図２０や図２１に基づいて説明する。なお、上記した一例の構成と同様の構成については同一符号を付して説明を省略し、一例と異なる特徴的な構成について以下に述べる。本例の接続スタンド部２は、その下端部に設けてある支持軸４００を中心としてベース１０に上下方向に回動自在に連結された状態で洗浄装置本体１の上部カバー１４から突出するものであり、上記回動により図２０に示す起立位置と図２１に示す傾倒位置との間で起倒自在になっている。
【００３２】
上記起立位置の接続スタンド部２は、一例において上方に引き上げた状態と同様の上下高さにあり、この位置で一例と同様に倒立姿勢の除毛器具９を上方から固定し且つ電気的に接続させ、洗浄槽１１内での体毛処理部９０の洗浄作業を行う。そして、除毛器具９を取り外した後に再度洗浄を行う必要がなければ、洗浄装置本体２９に対して接続スタンド部２を前方斜め下方に押し倒して上記傾倒位置に収納させておけばよい。上記傾倒位置は除毛器具６を倒立姿勢に固定させる際の起立位置よりも下方の位置であることから、本例においても除毛器具９を上方から固定し且つ電気的にも接続させる接続スタンド部２を有するものであるにも関わらず、洗浄時以外には洗浄装置１全体を収納場所が制約されないように背の低い状態にコンパクト化することができる。
【図面の簡単な説明】
【００３３】
【図１】本発明の実施の一例の除毛器具をセットした状態の縦断面図である。
【図２】同上の除毛器具をセットした状態の斜視図である。
【図３】同上の除毛器具をセットした状態の正面図である。
【図４】同上の外殻及び溶媒タンクを取り外した状態の斜視図である。
【図５】同上の正面図である。
【図６】同上の縦断面図である。
【図７】同上のＸ−Ｘ線断面図である。
【図８】同上のＹ−Ｙ線断面図である。
【図９】同上のスタンド部を引き上げた状態の正面図である。
【図１０】同上のＢ−Ｂ線断面図である。
【図１１】同上の溶質ケースの斜視図である。
【図１２】同上の外殻構成部品の分解斜視図である。
【図１３】同上の洗浄槽回りの部品の分解斜視図である。
【図１４】同上のベース回りの部品の分解斜視図である。
【図１５】同上のポンプユニットの分解斜視図である。
【図１６】同上の接続スタンド部の分解斜視図である。
【図１７】同上の溶媒タンクの分解斜視図である。
【図１８】同上の溶質ケースの分解斜視図である。
【図１９】同上の循環系を示す概念図である。
【図２０】本発明の実施の他例の除毛器具をセットした状態の縦断面図である。
【図２１】同上の接続スタンド部を折り畳んだ状態の縦断面図である。
【符号の説明】
【００３４】
１  洗浄装置
２  接続スタンド部
９  除毛器具
１１  洗浄槽
２９  洗浄装置本体
９０  体毛処理部
【手続補正３】
【補正対象書類名】図面
【補正対象項目名】図１
【補正方法】変更
【補正の内容】
【図１】
2005349141.tif 000024